(57)【要約】      （修正有）【課題】２次元コード等のコード情報を容易に利用することが可能であり、かつ、電気錠が不正に解錠されることを防止して高いセキュリティを維持することが可能な電気錠装置を提供すること。【解決手段】照合用のＩＤデータを入力可能な入力部３３と、ＣＣＤカメラ２により撮影した画像データから電気錠５を解錠させるための解錠データがコード化されたコード情報を読み取って当該コード情報から解錠データを生成するコード情報認識手段と、照合用ＩＤデータ入力手段３３により入力されたＩＤデータに対応する解錠データがコード情報認識手段により生成されたか否かを判断する判断手段と、照合用ＩＤデータ入力手段３３により入力されたＩＤデータに対応する解錠データがコード情報認識手段により生成されたと判断手段が判断したとき、電気錠５を解錠する動作を行う解錠手段とを備えた。【選択図】図１
2007032062.tif 000002
【特許請求の範囲】
【請求項１】
電気錠を動作させて施錠・解錠を行う電気錠装置であって、
照合用のＩＤデータを入力可能な照合用ＩＤデータ入力手段と、
前記電気錠を解錠させるための解錠データがコード化されたコード情報を外部から読み取る読取手段と、
前記照合用ＩＤデータ入力手段により入力されたＩＤデータに対応する解錠データを前記読取手段が読み取ったか否かを判断する判断手段と、
前記照合用ＩＤデータ入力手段により入力されたＩＤデータに対応する解錠データを前記読取手段が読み取ったと前記判断手段が判断したとき、前記電気錠を解錠する動作を行う解錠手段と
を備えたことを特徴とする電気錠装置。
【請求項２】
前記読取手段は、解錠データがコード化されたコード情報を記憶した携帯端末機が備える端末表示手段に表示されたコード情報を読み取ることを特徴とする請求項１に記載の電気錠装置。
【請求項３】
前記電気錠は、出入り口に設置されていることを特徴とする請求項１又は２に記載の電気錠装置。
【請求項４】
解錠データとの対応を設定するためのＩＤデータを入力可能な設定用ＩＤデータ入力手段と、
解錠データを発行する発行手段と、
前記設定用ＩＤデータ入力手段により入力されたＩＤデータと前記発行手段が発行した解錠データとを対応付けて記憶する記憶手段と、
前記発行手段が発行した解錠データをコード化したコード情報を外部から撮像可能な態様で表示するコード情報表示手段とを備え、
前記判断手段は、前記照合用ＩＤデータ入力手段により入力されたＩＤデータに対応する解錠データを前記読取手段が読みったか否かを前記記憶手段を参照して判断することを特徴とする請求項３に記載の電気錠装置。
【請求項５】
前記発行手段は、前記設定用ＩＤデータ入力手段によりＩＤデータが入力される毎に異なる解錠データを発行することを特徴とする請求項４に記載の電気錠装置。
【発明の詳細な説明】
【技術分野】
【０００１】
本発明は、電気錠を動作させて施錠・解錠を行う電気錠装置に関する。
【背景技術】
【０００２】
近年、空き巣や強盗のような家宅侵入や自転車等の盗難が増加しており、セキュリティに対する関心が高まりつつある。このような犯罪に対しては、例えば、鍵を複数個設置したり、指紋等の人体情報によって解錠するシステムを導入したりすることにより対応がとられている。
【０００３】
しかしながら、鍵を鍵穴に挿入して施錠・解錠する機械式の鍵では、知らない間に粘土等に鍵型が転写されて合鍵が作られる恐れがあり、鍵を定期的に変更する等の対応をとる必要があるといった問題があった。また、人体情報による解錠システムでは、指紋がデータとして記憶されることに抵抗がある者もおり、また、指紋が擦り切れてしまった場合や怪我をした場合には、解錠することができないといった問題があった。
【０００４】
このような問題に対して、従来、例えば、ドアなどの出入り口に設置された電気錠を、解錠データが記憶された携帯電話機を利用して解錠する電気錠制御システムが存在する（例えば、特許文献１参照）。特許文献１に記載の電気錠制御システムによれば、携帯電話機には、予めパスワードが記憶されており、利用者が携帯電話機にパスワードを入力すると、パスワードの照合が行われ、パスワードが一致した場合に解錠データがコード化された２次元コードが表示器に表示される。そして、出入口端末では、携帯電話機の表示器に表示された２次元コードから解錠データが読み取られ、予め記憶されたデータの内容とを照合する処理が行われ、両者が一致したときに解錠信号が出力される。
【０００５】
特許文献１に記載の電気錠制御システムであれば、機械式の鍵や人体情報を使用しなくてもよく、パスワードが第三者に知られなければ、２次元コードを携帯電話機の表示器に表示させることができないため、電気錠を解錠させることができない。
【０００６】
【特許文献１】特開２００４−２３８９６５号公報
【発明の開示】
【発明が解決しようとする課題】
【０００７】
しかしながら、特許文献１に記載の電気錠制御システムでは、携帯電話機が、予め携帯電話機に記憶されたパスワードと操作部から入力されたパスワードとが一致するか否かを判断しなければならず、そのためには、予め専用のプログラム等を記憶（インストール）しておかなければならないといった問題があった。また、携帯電話機ごとにプログラムを作成しなければならない可能性もあるため、このようなシステムを利用し難いといった問題があった。さらに、例えば、マンション等の出入り口に設置する場合には、当該システムを利用することができる携帯電話機をすべての利用者が所有しなければならないといった問題がある。すなわち、利用者のなかに当該システムを利用することができない携帯電話機を所有している者がいる場合には、携帯電話機を買い換える必要があり、もしくは、すべての利用者がこのシステムを利用することを断念しなければならないといった問題があった。
また、携帯電話機にパスワードが記憶されているため、第三者の手に渡った場合には、データが解読され、パスワードが知られる可能性があるといった問題があった。
【０００８】
本発明は、上述した課題に鑑みてなされたものであり、その目的は、２次元コード等のコード情報を容易に利用することが可能であり、かつ、電気錠が不正に解錠されることを防止して高いセキュリティを維持することが可能な電気錠装置を提供することにある。
【課題を解決するための手段】
【０００９】
以上のような目的を達成するために、本発明は、以下のようなものを提供する。
（１）  電気錠を動作させて施錠・解錠を行う電気錠装置であって、
照合用のＩＤデータを入力可能な照合用ＩＤデータ入力手段と、
上記電気錠を解錠させるための解錠データがコード化されたコード情報を外部から読み取る読取手段と、
上記照合用ＩＤデータ入力手段により入力されたＩＤデータに対応する解錠データを上記読取手段が読み取ったか否かを判断する判断手段と、
上記照合用ＩＤデータ入力手段により入力されたＩＤデータに対応する解錠データを上記読取手段が読み取ったと上記判断手段が判断したとき、上記電気錠を解錠する動作を行う解錠手段と
を備えたことを特徴とする電気錠装置。
【００１０】
（１）の発明によれば、電気錠を解錠させるための解錠データがコード化されたコード情報（例えば、２次元コード）を外部（例えば、紙媒体）から読み取り、読み取った解錠データが、照合用ＩＤデータ入力手段（例えば、テンキー）により入力されたＩＤデータに対応する解錠データであると判断したとき、電気錠を解錠する動作を行う。すなわち、コード情報を読み取ったとしても、当該解錠データが、照合用ＩＤデータ入力手段により入力されたＩＤデータと対応しない場合には、解錠動作を行わない。従って、コード情報が複製される等して第三者に取得された場合であっても、電気錠を解錠するためにはＩＤデータの入力が必要であるため、解錠される可能性が少なくなる。従って、電気錠が第三者によって不正に解錠されることを防止して高いセキュリティを維持することが可能である。
また、画像としてコード情報を読み取るので、利用者は、例えば、紙媒体等にコード情報が記憶されたものを所持するといったように、解錠データがコード化されたコード情報さえ所持すればよいので、容易に当該電気錠装置を利用することができる。
【００１１】
さらに、本発明は、以下のようなものを提供する。
（２）  上記（１）の電気錠装置であって、
上記読取手段は、解錠データがコード化されたコード情報を記憶した携帯端末機が備える端末表示手段に表示されたコード情報を読み取ることを特徴とする。
【００１２】
（２）の発明によれば、携帯端末機（例えば、携帯電話機）が備える端末表示手段（例えば、液晶パネル）に表示されたコード情報を読み取る。このとき、携帯端末機では、端末表示手段にコード情報を画像として表示すればよいので、画像の記録及び表示が可能な携帯端末機であれば、別途プログラム等を記憶（インストール）することなく、コード情報を携帯端末機に記憶させて、当該電気錠装置を利用することができる。
【００１３】
さらに、本発明は、以下のようなものを提供する。
（３）  上記（１）又は（２）の電気錠装置であって、
上記電気錠は、出入り口に設置されていることを特徴とする。
【００１４】
（３）の発明によれば、侵入されやすい扉等の出入り口に設置されているため、効果的に高いセキュリティを維持することができる。また、扉等の出入り口に設置されているため、例えば、ホテル等の各部屋のルームキーとして使用するといったように、一時的に鍵を貸す場合に利用することができる。このように使用した場合、外出時にルームキーをフロントに預ける必要がなくなるといったように、人的な手間を省略することができる。また、コード情報に有効期限を設定する等すれば、鍵を返却する必要がなくなり、利便性に優れる。
【００１５】
さらに、本発明は、以下のようなものを提供する。
（４）  上記（３）の電気錠装置であって、
解錠データとの対応を設定するためのＩＤデータを入力可能な設定用ＩＤデータ入力手段と、
解錠データを発行する発行手段と、
上記設定用ＩＤデータ入力手段により入力されたＩＤデータと上記発行手段が発行した解錠データとを対応付けて記憶する記憶手段と、
上記発行手段が発行した解錠データをコード化したコード情報を外部から撮像可能な態様で表示するコード情報表示手段とを備え、
上記判断手段は、上記照合用ＩＤデータ入力手段により入力されたＩＤデータに対応する解錠データを上記読取手段が読みったか否かを上記記憶手段を参照して判断することを特徴とする。
【００１６】
（４）の発明によれば、発行された解錠データが、設定用ＩＤデータ入力手段（例えば、テンキー）により入力されたＩＤデータと対応付けて記憶される。そして、当該解錠データがコード化されたコード情報がコード情報表示手段（例えば、モニタ）に表示される。利用者は、例えば、携帯端末機が備える撮像手段によりコード情報を撮像して外出し、帰宅時に、ＩＤデータを入力するとともに当該コード情報を読取手段に読み取らせると、電気錠を解錠させることができる。このように、設定用ＩＤデータ入力手段によりＩＤデータが入力されると、コード情報が表示されるため、利用者は、随時新たなコード情報を取得することができる。従って、より高いセキュリティを得ることができる。
【００１７】
さらに、本発明は、以下のようなものを提供する。
（５）  上記（４）の電気錠装置であって、
上記発行手段は、上記設定用ＩＤデータ入力手段によりＩＤデータが入力される毎に異なる解錠データを発行することを特徴とする。
【００１８】
（５）の発明によれば、設定用ＩＤデータ入力手段によりＩＤデータが入力される毎に異なる解錠データが発行されるため、その都度コード化される解錠データは異なることになる。このように、ＩＤデータと解錠データとの対応がその都度変更されるため、コード情報が複製等されたとしても、当該コード情報で解錠される可能性が低くなり、さらに高いセキュリティを得ることができる。
【発明の効果】
【００１９】
本発明によれば、２次元コード等のコード情報を容易に利用することが可能であり、かつ、電気錠が不正に解錠されることを防止して高いセキュリティを維持することが可能な電気錠装置を提供することができる。
【発明を実施するための最良の形態】
【００２０】
本発明について図面を用いて説明する。以下においては、本発明をモニタ機能付きインターホンに適用した場合について説明することとする。
図１は、本発明に係る電気錠装置の概略を説明するための図である。
電気錠装置１０は、室内に設置されている親機６と、建物における玄関や門等の出入口に設置されている子機１と、出入口扉（図示せず）に設置されている電気錠５とから構成されている。
例えば、居住者が外出する際に入力部８を介して親機６に対して自らのＩＤ番号をＩＤデータとして入力すると、モニタ９に解錠データがコード化された２次元コード９２を表示させることができる。解錠データは、電気錠５を解錠させるためのものであり、ＩＤデータが入力される毎に異なるデータとして発行されるものである。発行された解錠データは、入力されたＩＤデータと対応付けて記憶される。居住者は、この２次元コード９２を自らが所有する携帯電話機３００が備えるＣＣＤカメラで撮像し、得られた画像データを携帯電話機３００が備える不揮発性メモリに記憶することができる。
【００２１】
そして、例えば、居住者が帰宅した際に、子機１が備える入力部３３にＩＤデータを入力し、携帯電話機３００の液晶パネルに表示させた２次元コード９２を、ＣＣＤカメラ２を介して認識させると、電気錠装置１０では、ＩＤデータと解錠データとが外出の際に設定された対応関係にあるか否かを判断し、対応関係があると判断した場合には、電気錠５を解錠する。
【００２２】
図２は、電気錠装置の内部構成を示すブロック図である。
親機６は、インターホンの動作を制御するワンチップＣＰＵ１８を備えており、このＣＰＵ１８には、入力部８と書き換え可能な不揮発性メモリ１９と信号処理回路２０とが接続されている。ＩＤデータ入力手段としての入力部８は、テンキースイッチ及び操作スイッチ群を備えており、居住者の入力を受け付ける。
【００２３】
不揮発性メモリ１９は、入力部８からの入力等に応じて、氏名と電話番号等とを対応させて記憶する電話帳としての機能を有する。また、不揮発性メモリ１９には、複数（例えば、１０００）の解錠データが記憶されており、入力部８からのＩＤデータの入力に応じて１の解錠データを選択して発行し、ＩＤデータと対応付けて記憶する。記憶されたＩＤデータと解錠データとは、所定期間（例えば、１カ月間）保存される。不揮発性メモリ１９は、入力部８により入力されたＩＤデータと発行した解錠データとを対応付けて記憶する記憶手段として機能するものである。
【００２４】
信号処理回路２０には、受話器７、受話器７に設けられたフックスイッチ７ａ、モニタ９、ブザー２２が接続されている。
信号処理回路２０は、子機１とのデータ通信を子機インタフェース２１を介して行う。また、信号処理回路２０は、受話器７に設けられたフックスイッチ７ａからの信号を受け、フックスイッチ７ａがオンの状態であるときに子機インタフェース２１を介して子機１と音声信号の送受信を行う。また、信号処理回路２０は、子機１から受信した画像データ信号から得られる画像をモニタ９に表示する。また、子機１から受信した２次元コード画像データをＣＰＵ１８に送信する。また、信号処理回路２０は、ＣＰＵ１８から受信した２次元コード９２をモニタ９に表示する。モニタ９は、コード情報表示手段として機能するものである。
ブザー２２は、来訪者の訪問を報知するものである。また、信号処理回路２０は、ＣＰＵ１８から後述のように出力される解錠信号を子機１へ出力する処理を行う。
【００２５】
一方、子機１では、信号処理回路２３には、呼出スイッチ３と切換スイッチ４とマイクロホン２６とスピーカ２７とＣＣＤカメラ２と光学特性切換部２９と照明用ＬＥＤ２８と入力部３３と変復調回路２５とが接続されている。
信号処理回路２３は、親機６とのデータ通信を親機インタフェース２４を介して行うとともに、電気錠５との信号送受信を変復調回路２５を介して行う。
【００２６】
信号処理回路２３は、呼出スイッチ３及び切替スイッチ４からオン信号、マイクロホン２６からの音声信号、ＣＣＤカメラ２からの画像信号を受け、これらの信号を親機インタフェース２４を通じて親機６に送信する。
このとき、親機６では、呼出スイッチ３からのオン信号を受けたときには、ブザー２２を鳴動する動作を行い、音声信号を受けたときには、受話器７から出力する動作を行い、映像信号を受けたときにはモニタ９で再生する動作を行う。さらに、親機６では、切替スイッチ４からのオン信号を受けたときには、ＣＰＵ１８において後述する待機時間タイマをセットする動作を行う。
【００２７】
また、信号処理回路２３は、親機６から送信された音声信号をスピーカ２７から再生出力する動作を行い、呼出スイッチ３からのオン信号の入力に応じて、ＣＣＤカメラ２の撮像範囲を照明するための照明用ＬＥＤ２８を点灯させる動作を行う。また、信号処理回路２３は、切替スイッチ４からのオン信号の入力に応じて光学特性切替部２９を機能させる動作を行う。
光学特性切替部２９は、来訪者の撮影に適した合焦範囲を備えた光学特性（通常モード）と２次元コードの撮影に適した合焦範囲を備えた光学特性（接写モード）とを切り換える。具体的には、ＣＣＤカメラ２は、図示しない凸レンズ系の補助光学レンズを備えており、光学特性切替部２９は、この補助光学レンズを信号処理回路２３からの指令信号に基づいて移動させて光学特性の切り換えを行う。入力部３３は、テンキースイッチ及び操作スイッチ群を備えており、照合用のＩＤデータの入力等を受け付ける。入力部３３は、照合用ＩＤデータ入力手段として機能するものである。
【００２８】
電気錠５は、子機１との信号送受信を行うための復変調回路３０、ロック機構の解錠動作を行うための電磁ソレノイド３１、ロック機構の開閉状態を検出するための動作検出部３２を備えている。なお、電磁ソレノイド３１に代えてモータ等を用いてもよい。
【００２９】
図３は、図１に示した携帯電話機の内部構成を示すブロック図である。
携帯電話機３００は、操作部３０４、液晶パネル３０６、ＣＣＤカメラ３０８、無線部３１０、音声回路３１２、スピーカ３１４、マイク３１６、送受信アンテナ３１８、不揮発性メモリ３２０、マイクロコンピュータ３２２及び二次電池３２４を備えている。
【００３０】
無線部３１０は、マイクロコンピュータ３２２により制御されて、送受信アンテナ３１８を通じて電波を媒体として基地局に対して送受信する。音声回路３１２は、無線部３１０からマイクロコンピュータ３２２を通じて出力された受信信号をスピーカ３１４に出力するとともに、マイク３１６から出力された音声信号を送信信号としてマイクロコンピュータ３２２を通じて無線部３１０に出力する。
【００３１】
スピーカ３１４は、音声回路３１２から出力された受信信号を受信音声に変換して出力し、マイク３１６は、操作者から発せられた送信音声を音声信号に変換して音声回路３１２に出力する。
ＣＣＤカメラ３０８は、親機６のモニタ９に表示される２次元コード９２を撮像可能であり、撮像して得られた画像データは不揮発性メモリ３２０に記憶される。本実施形態では、携帯電話機３００にはＣＣＤカメラが備えられている場合について説明するが、本発明においては、例えば、ＣＭＯＳセンサカメラ等であってもよい。
【００３２】
不揮発性メモリ３２０は、例えば、ＣＣＤカメラ３０８が２次元コード９２を撮像して得られた画像データ等の各種データや各種プログラムを不揮発的に記憶する。
二次電池３２４は、各回路に電力を供給する。マイクロコンピュータ３２２は、ＣＰＵ、ＲＯＭ及びＲＡＭから構成されたもので、例えば、電話の発着信処理、電子メールの作成送受信処理、インターネット処理等を行う。
【００３３】
図４は、電気錠装置において行われる解錠データ発行処理のサブルーチンを示すフローチャートである。このフローチャートは、親機６において、入力部８を介して所定の操作を受け付け、２次元コード発行モードに切り換えた後に実行される処理を示すフローチャートである。
まず、ＣＰＵ１８は、設定用のＩＤデータの入力を受け付ける（ステップＳ１０）。この処理においては、モニタ９に対して入力を促すガイドを表示させるとともに、設定用のＩＤデータの入力を受け付ける。ＩＤデータは、個人に固定で設定されていてもよく、その都度設定されてもよい。なお、個人に固定で設定されている場合には、どの個人にも該当しないＩＤデータが入力された場合には、解錠データを発行しないように構成することが望ましい。
【００３４】
設定用のＩＤデータの入力を受け付けると、ステップＳ１１において、ＣＰＵ１８は、解錠データを発行する。この処理において、ＣＰＵ１８は、不揮発性メモリ１９に記憶した複数の解錠データの中から１の解錠データを選択して発行する。このとき、不揮発性メモリ１９を参照し、過去所定期間以内（例えば、１月以内）に発行した解錠データを選択しないように、解錠データのなかから１の解錠データを選択して発行する。具体的には、ＩＤデータと対応付けて記憶された解錠データが不揮発性メモリ１９に記憶されているか否かにより過去所定期間以内に解錠データが発行されたか否かを判断して、１の解錠データを選択して発行する。この処理において、ＣＰＵ１８は、解錠データを発行する発行手段として機能する。
【００３５】
次に、ステップＳ１２において、ＣＰＵ１８は、入力されたＩＤデータ（ステップＳ１０参照）と、発行した解錠データ（ステップＳ１１参照）とを対応付けて不揮発性メモリ１９に記憶する。
【００３６】
次に、ステップＳ１３において、ＣＰＵ１８は、当該解錠データを２次元コードにエンコードする。エンコード処理については、後で詳述することにする。
【００３７】
ステップＳ１４において、ＣＰＵ１８は、エンコードした２次元コードをモニタ９に表示する。そして、ステップＳ１５において、携帯電話機３００による撮影が完了した旨の操作が入力部８を介して入力されると、２次元コードの表示を終了し、２次元コード発行モードから通常モードへと切り換えて、本サブルーチンを終了する。
【００３８】
図５は、図４に示したサブルーチンのステップＳ１３において呼び出されて実行されるエンコード処理のサブルーチンを示すフローチャートである。
【００３９】
まず、ＣＰＵ１８は、解錠データをエンコード処理の対象としてセットする（ステップＳ４０）。
【００４０】
次に、ＣＰＵ１８は、解錠データの文字種（例えば、数字、英数字、漢字等）に応じたモード識別子を作成する（ステップＳ４１）。
次に、ＣＰＵ１８は、解錠データの文字数に応じた文字数識別子を作成する（ステップＳ４２）。
次に、ＣＰＵ１８は、解錠データを２進化する処理を行う（ステップＳ４３）。
次に、ＣＰＵ１８は、ステップＳ４１〜Ｓ４３により得られたデータに終端パターンを付加する処理を行う（ステップＳ４４）。
【００４１】
次に、ＣＰＵ１８は、ステップＳ４４により得られたデータのコード語変換を行い（ステップＳ４５）、さらに、ステップＳ４５により得られたデータに基づいてエラー訂正コード語を作成し、ステップＳ４５により得られたデータに付加する（ステップＳ４６）。次に、ＣＰＵ１８は、ステップＳ４６により得られたデータを２進化し、マトリックス状に配置する処理を行う（ステップＳ４７）。
次に、ＣＰＵ１８は、ステップＳ４７により得られたデータに対して所定パターンのマスクをかける処理を行う（ステップＳ４８）。次に、エラー訂正レベルとマスク識別子とを含む形式情報を付加する処理を行い（ステップＳ４９）、２次元コードを生成する（ステップＳ５０）。その後、本サブルーチンを終了する。
【００４２】
本実施形態においては、解錠データのみを２次元コードにエンコード（コード化）する場合について説明したが、本発明においては、解錠データと他のデータ（例えば、解錠データが発行された時間に関するデータ等）とをエンコードすることとしてもよい。
【００４３】
図６は、電気錠装置において行われる解錠処理のサブルーチンを示すフローチャートである。このフローチャートは、子機１において切替スイッチ４の操作を受け付け、ＣＣＤカメラ２を２次元コードの撮影に適した光学特性（接写モード）に切り換えた後に実行される処理を示すフローチャートである。
まず、ＣＰＵ１８は、切替スイッチ４からのオン信号を受信すると、待機時間タイマをセットする動作を行う（ステップ６０）。待機時間タイマは、例えば、１分でタイムアップする。
【００４４】
次に、ＣＰＵ１８は、待機時間タイマがタイムアップしたか否かを判断し（ステップＳ６１）、タイムアップしたと判断した場合には、光学特性切替部２９を復帰動作させることによりＣＣＤカメラ２を来訪者の撮影に適した光学特性（通常モード）に切替え（ステップＳ７１）、本サブルーチンを終了する。一方、タイムアップしていないと判断した場合には、処理をステップＳ６２に移す。
【００４５】
ステップＳ６２において、ＣＰＵ１８は、入力部３３を介して照合用のＩＤデータの入力があったか否かを判断する（ステップＳ６２）。ＩＤデータの入力があったと判断した場合、処理をステップＳ６３に移す。一方、ＩＤデータの入力がない場合、処理をステップＳ６１に戻す。
【００４６】
ステップＳ６３において、ＣＰＵ１８は、入力されたＩＤデータ（ステップＳ６２参照）に対応する解錠データを不揮発性メモリ１９から読み出す。この解錠データは、解錠データ発行処理において発行した際にＩＤデータと対応付けて記憶したデータである（図４、ステップＳ１２参照）。
【００４７】
次に、操作部３０６を介した操作により携帯電話機３００の液晶パネル３０６に表示された画面画像をＣＣＤカメラ２により撮影し（ステップＳ６４）、その画像データを記憶する（ステップＳ６５）。
【００４８】
次に、ＣＰＵ１８は、２次元コード認識処理を行い（ステップＳ６６）、ステップＳ６５において得られた画像データから２次元コードを読み取り、解錠データを生成する。この処理において、ＣＰＵ１８は、２次元コード９２を読み取る読取手段として機能する。なお、２次元コード認識処理については、後で詳述することにする。
【００４９】
次に、ＣＰＵ１８は、２次元コードの認識が成功したか否かを判断する（ステップＳ６７）。２次元コードの認識に成功しなかったと判断した場合、処理をステップＳ６１に戻す。一方、２次元コードの認識に成功したと判断した場合、処理をステップＳ６８に移す。
【００５０】
ステップＳ６８において、ＣＰＵ１８は、読み出した解錠データ（ステップＳ６３参照）と生成した解錠データ（ステップＳ６６参照）とが一致するか否かを判断する。一致しないと判断した場合には、処理をステップＳ６１に戻す一方、一致すると判断した場合には、処理をステップＳ６９に移す。この処理において、ＣＰＵ１８は、入力部３３により入力されたＩＤデータに対応する解錠データが生成されたか否かを判断する判断手段として機能する。
【００５１】
ステップＳ６９において、ＣＰＵ１８は、電気錠５に対して解錠信号を出力する。このとき、ＣＰＵ１８は、電気錠５を解錠する動作を行う解錠手段として機能する。これにより電磁ソレノイド３１が駆動され、電気錠５のロックが解錠されることになる。
次に、ステップＳ７０において、解錠に使用された解錠データを無効化する。この処理において、ＣＰＵ１８は、当該解錠データが使用済である旨を示すフラグを不揮発性メモリ１９の所定領域にセットすることにより無効化する。これによりフラグがセットされた解錠データは、ＩＤデータと対応する解錠データとして読み出されなくなり、同一の解錠データが２度使用されたとしても、当該解錠データでは、電気錠５のロックを解錠することができなくなることになる。
次に、ステップＳ７１において、ＣＣＤカメラ２を来訪者の撮影に適した光学特性（通常モード）に切替え、本サブルーチンを終了する。
【００５２】
図７は、図６に示した処理のステップＳ６６において呼び出されて実行される２次元コード認識処理を示すフローチャートである。
まず、ＣＰＵ１８は、不揮発性メモリ１９に記憶された画像データに対して画像変換処理を行う（ステップＳ８０）。画像変換処理は、撮像されて得られた画像データから、２次元コードが表示されている領域の画像データを抜き出し、傾きや歪みを補正し、所定の閾値によりモノクロ画像に変換し、正面視した２次元コードを含む画像データを得る処理である。
【００５３】
次に、ＣＰＵ１８は、ステップＳ８０において得られた画像データから２次元コードを抽出し、ノイズ除去等の補正を行う（ステップＳ８１）。
次に、ＣＰＵ１８は、ステップＳ８１において得られた２次元コードの２値化処理を行い、２次元コードを構成する各ドットを“０”又は“１”に置き換え（ステップＳ８２）、２値化マトリックスデータを生成する（ステップＳ８３）。次に、ＣＰＵ１８は、２値化マトリックスデータをデコードし（ステップＳ８４）、解錠データを生成する（ステップＳ８５）。その後、本サブルーチンを終了し、図６に示したフローチャートのステップＳ６７に処理を移すのである。
【００５４】
以上、本実施形態に係る電気錠装置１０によれば、電気錠５を解錠させるための解錠データがコード化された２次元コード９２を携帯電話機３００の液晶パネル３０６から読み取って生成した解錠データが、入力部３３（照合用ＩＤデータ入力手段）により入力されたＩＤデータに対応する解錠データであると判断したとき、電気錠５を解錠する動作を行う。すなわち、２次元コード９２を読み取り、解錠データを生成したとしても、当該解錠データが、入力部３３により入力されたＩＤデータと対応しない場合には、解錠動作を行わない。従って、２次元コード９２が複製される等して第三者に取得された場合であっても、電気錠５を解錠するためにはＩＤデータの入力が必要であるため、解錠される可能性が少なくなる。従って、電気錠５が第三者によって不正に解錠されることを防止して高いセキュリティを維持することが可能である。
【００５５】
また、本実施形態に係る電気錠装置１０によれば、携帯電話機３００が備える液晶パネル３０６に表示された２次元コード９２を読み取って解錠データを生成する。このとき、携帯電話機３００では、液晶パネル３０６に２次元コード９２を画像として表示すればよいので、画像の記録及び表示が可能な携帯電話機３００であれば、別途プログラム等を記憶（インストール）することなく、２次元コード９２を携帯電話機３００に記憶させて、電気錠装置５を利用することができる。
また、本実施形態に係る電気錠装置１０によれば、侵入されやすい扉等の出入り口に設置されているため、効果的に高いセキュリティを維持することができる。
【００５６】
また、本実施形態に係る電気錠装置１０によれば、発行された解錠データが、入力部８（設定用ＩＤデータ入力手段）により入力されたＩＤデータと対応付けて記憶される。そして、当該解錠データがコード化された２次元コード９２がモニタ９に表示される。利用者は、携帯電話機３００が備えるＣＣＤ３０８により２次元コード９２を撮像して外出し、帰宅時に、ＩＤデータを入力するとともに当該２次元コード９２を子機１が備えるＣＣＤカメラ２（コード情報認識手段）に読み取らせると、電気錠５を解錠させることができる。このように、入力部８によりＩＤデータが入力されると、２次元コード９２が表示されるため、利用者は、随時新たな２次元コード９２を取得することができる。従って、より高いセキュリティを得ることができる。
【００５７】
また、本実施形態に係る電気錠装置１０によれば、入力部８によりＩＤデータが入力される毎に異なる解錠データが発行されるため、その都度コード化される解錠データは異なることになる。このように、ＩＤデータと解錠データとの対応がその都度変更されるため、２次元コード９２が複製等されたとしても、当該２次元コード９２で解錠される可能性が低くなり、さらに高いセキュリティを得ることができる。
【００５８】
本実施形態においては、２次元コード９２を画像として携帯電話機３００に記憶させる場合について説明したが、本発明はこれに限定されるものではなく、例えば、２次元コード９２は、紙媒体に印刷等されてもよい。
このようにした場合、利用者は、紙媒体等に２次元コード９２が記憶されたものを所持するといったように、解錠データがコード化された２次元コード９２さえ所持すればよいので、容易に電気錠装置１０を利用することができる。
【００５９】
また、本実施形態においては、ＩＤデータと解錠データとを対応づけて不揮発性メモリ１９に記憶する場合について説明したが、本発明はこの例に限定されず、当該解錠データをコード化した２次元コード９２とを対応付けて記憶することとしてもよい。
【００６０】
本発明は、ホテル等の各部屋のルームキーとして使用するといったように、一時的に鍵を貸し出す場合に適用することも可能である。このように使用した場合、外出時にルームキーをフロントに預ける必要がなくなるといったように、人的な手間を省略することができる。また、２次元コード９２に有効期限を設定する等すれば、鍵を返却する必要がなくなり、利便性に優れる。また、本発明は、自転車や車の鍵として適用することも可能である。
【００６１】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００６２】
【図１】本発明に係る電気錠装置の概略を説明するための図である。
【図２】図１に示した電気錠装置の内部構成を示すブロック図である。
【図３】携帯電話機の内部構成を示すブロック図である。
【図４】電気錠装置において行われる解錠データ発行処理のサブルーチンを示すフローチャートである。
【図５】図４に示したサブルーチンのステップＳ１３において呼び出されて実行されるエンコード処理のサブルーチンを示すフローチャートである。
【図６】電気錠装置において行われる解錠処理のサブルーチンを示すフローチャートである。
【図７】図６に示した処理のステップＳ６６において呼び出されて実行される２次元コード認識処理を示すフローチャートである。
【符号の説明】
【００６３】
１  子機
２  ＣＣＤカメラ
５  電気錠
６  親機
８  入力部
９  モニタ
１０  電気錠装置
１８  ＣＰＵ
１９  不揮発性メモリ
３３  入力部
９２  ２次元コード
３００  携帯電話機
３０４  操作部
３０６  液晶パネル
３０８  ＣＣＤカメラ
【図１】
2007032062.tif 000003
【図２】
2007032062.tif 000004
【図３】
2007032062.tif 000005
【図４】
2007032062.tif 000006
【図５】
2007032062.tif 000007
【図６】
2007032062.tif 000008
【図７】
2007032062.tif 000009